(57)【要約】【課題】ストロー袋からストローが容易に取出せて消費者が中身の液体食品を迅速に飲用できる容器用ストロー袋、紙容器及びストロー袋の製造法を提供する【解決手段】容器用ストロー袋１は、容器に備えるストロー収納用のストロー袋であって、ストロー袋１が、容器壁側の第１フィルム１ｃと第２フィルム１ｄとをストロー用中空を形成するように重ね、各々外周縁を固着して形成され、ストロー袋の縦方向に沿って第２フィルムを切断する開封テープ３が第２フィルムの内側に且つストローの外側に備えられ、開封テープ３がストロー袋の開封側の外周縁において第１フィルムと第２フィルムとの間で積層され、開封テープの一端が積層された外周縁から突出して成る開封用タブである。【選択図】図１
2015040071.tif 000002
【特許請求の範囲】
【請求項１】
容器に備えるストロー収納用のストロー袋であって、該ストロー袋が、容器壁側の第１フィルムと第２フィルムとをストロー用中空を形成するように重ね、各々外周縁を固着して形成され、該ストロー袋の縦方向に沿って該第２フィルムを切断する開封テープが該第２フィルムの内側に且つストローの外側に備えられ、該開封テープが該ストロー袋の開封側の外周縁において該第１フィルムと該第２フィルムとの間で積層され、該開封テープの一端が積層された該外周縁から突出して成る開封用タブであることを特徴とする容器用ストロー袋。
【請求項２】
該開封テープの開封用タブが、着色される請求項１記載の容器用ストロー袋。
【請求項３】
該開封テープの引っ張り強度が、該第２フィルムの引っ張り強度より強く、該第２フィルムの幅が狭い請求項２記載の容器用ストロー袋。
【請求項４】
該外周縁から突出した開封テープの一端に対応する該第２フィルムの外周縁若しくはその近傍に、切断開始用の切断容易部が形成されている請求項２記載の容器用ストロー袋。
【請求項５】
該開封テープが、該第２フィルムの内側面に接着されて備えられている請求項２記載の容器用ストロー袋。
【請求項６】
該開封テープが、該ストロー袋の開封側と反対側の外周縁において該第１フィルムと該第２フィルムとの間で積層されて備えられている請求項２記載の容器用ストロー袋。
【請求項７】
１００ml〜５５０mlの液体食品を充填した主に紙包装材料からなる紙容器であって、
容器器壁に、ストローを収納したストロー袋を備え、
該ストロー袋が、容器壁側の第１フィルムと第２フィルムとをストロー用中空を形成するように重ね、各々外周縁を固着して形成され、該ストロー袋の縦方向に沿って該第２フィルムを切断する開封テープが該第２フィルムの内側に該ストローの外側に備えられ、該開封テープが該ストロー袋の開封側の該外周縁において該第１フィルムと該第２フィルムとの間で積層され、該開封テープの一端が積層された該外周縁から突出して成る開封用タブであることを特徴とする紙容器。
【請求項８】
該第１フィルムと該第２フィルムとが紙主体材料からなり、少なくとも、該第１フィルムが熱融着性外層を備える紙主体材料である請求項７記載の紙容器。
【請求項９】
第１フィルム用の第１帯状フィルムと、第２フィルム用の第２帯状フィルムとをストロー用中空を形成するように重ねる際に、該ストロー用中空にストローを挿入すると共に、該ストロー袋の縦方向に沿って第２フィルムを切断する開封テープを、該第２フィルムの内側にかつ該ストローの外側に、該開封テープの一端の開封用タブが外周縁から突出するように配置し、該ストローの外周縁を固着し、
該外周縁で、個々のストロー袋に切断する
ことを特徴とするストロー袋の製造法。
【発明の詳細な説明】
【技術分野】
【０００１】
本発明は、液体食品を充填する紙容器に備えられるスロトー収納用のストロー袋、そのストロー袋を備える紙容器、及びストロー袋の製造法に関する。
【背景技術】
【０００２】
液体食品を充填する紙容器に備えられるストローでは、ストローを包装し、衛生を保持する包装体、すなわち、ストロー袋がある。
ストロー袋には、プラスチックフィルムや薄葉紙からなる。紙容器用ストロー袋の構成は、例えば、上下の帯状プラスチックフィルムで、一定間隔でストローを連続的に挟み、四方の縁部をヒートシールしてシールゾーンを形成し、そのシールゾーンで切断分離して、図１（Ａ）に示すような、一個分のストロー２をフイルムで包装した袋１が形成される（特許文献１参照）。紙容器は屋内外活動時等に手軽に持運んで液体食品をストローで吸飲することができるので利便性に優れる。ストローで紙容器のストロー孔を開口して内溶液を吸飲する際に、ストロー袋の包装フィルム越しに外側からストローを押して、斜めにカットされたストローの先端でスロトー袋を突き破り、ストローをストロー袋から取り出す。
【先行技術文献】
【特許文献】
【０００３】
【特許文献１】特開２００３−０４０３３４号公報
【発明の概要】
【発明が解決しようとする課題】
【０００４】
ストロー袋の包装フィルムからストローを取出す際に、消費者は、高齢者、子供などのみならず大人にとっても、困難を感じることがある。例えば、ストローをストロー袋の外側から指で移動する操作に時間が掛ってストローを容易且つ迅速に取出すことができなかったり、ストロー袋を紙容器から取外して両手を使ってストロー袋を指で開封した後にストロー袋からストローを取り出すという二段階動作となり、場合によればハサミやナイフを必要とすることもある。
本発明は、ストロー袋からストローが容易に取出せて消費者が中身の液体食品を迅速に飲用できる容器用ストロー袋、紙容器及びストロー袋の製造法を提供することを目的とする。
【課題を解決するための手段】
【０００５】
この発明による容器用ストロー袋は、容器に備えるストロー収納用のストロー袋であって、ストロー袋が、容器壁側の第１フィルムと第２フィルムとをストロー用中空を形成するように重ね、各々外周縁を固着して形成され、ストロー袋の縦方向に沿って第２フィルムを切断する開封テープが第２フィルムの内側に且つストローの外側に備えられ、開封テープがストロー袋の開封側の外周縁において第１フィルムと第２フィルムとの間で積層され、開封テープの一端が積層された外周縁から突出して成る開封用タブであることを特徴としている。
【０００６】
この発明による好ましい態様において、開封テープの開封用タブは着色される。
【０００７】
この発明による好ましい態様において、開封テープの引っ張り強度が、第２フィルムの引っ張り強度より強く、第２フィルムの幅が狭い。
【０００８】
この発明による好ましい態様において、外周縁から突出した開封テープの一端に対応する第２フィルムの外周縁若しくはその近傍に、切断開始用の切断容易部が形成されている。
【０００９】
この発明による好ましい態様において、開封テープが、第２フィルムの内側面に接着されて備えられている。
【００１０】
この発明による好ましい態様において、開封テープが、ストロー袋の開封側と反対側の外周縁において第１フィルムと第２フィルムとの間で積層されて備えられている。
【００１１】
この発明による紙容器は、１００ml〜５５０mlの液体食品を充填した主に紙包装材料からなる紙容器であって、
容器器壁に、ストローを収納したストロー袋を備え、
ストロー袋が、容器壁側の第１フィルムと第２フィルムとをストロー用中空を形成するように重ね、各々外周縁を固着して形成され、ストロー袋の縦方向に沿って第２フィルムを切断する開封テープが第２フィルムの内側にストローの外側に備えられ、開封テープがストロー袋の開封側の外周縁において第１フィルムと第２フィルムとの間で積層され、開封テープの一端が積層された外周縁から突出して成る開封用タブであることを特徴とする。
【００１２】
この発明による紙容器の好ましい態様において、第１フィルムと第２フィルムとが紙主体材料からなり、少なくとも、第１フィルムが熱融着性外層を備える紙主体材料である。
【００１３】
この発明によるストロー袋の製造法は、第１フィルム用の第１帯状フィルムと、第２フィルム用の第２帯状フィルムとをストロー用中空を形成するように重ねる際に、ストロー用中空にストローを挿入すると共に、ストロー袋の縦方向に沿って第２フィルムを切断する開封テープを、第２フィルムの内側にかつストローの外側に、開封テープの一端の開封用タブが外周縁から突出するように配置し、ストローの外周縁を固着し、
外周縁で、個々のストロー袋に切断する
ことを特徴とする。
【発明の効果】
【００１４】
上記構成の本発明によれば、以下の作用機能を発揮し、有利な効果が得られる。
この発明による容器用ストロー袋は、容器に備えるストロー収納用のストロー袋である。
ストローで紙容器のストロー孔を開口して内溶液を吸飲することができる。使用時に、ストロー袋の包装フィルム越しに外側からストローを押して、斜めにカットされたストローの先端でスロトー袋を突き破り、ストローをストロー袋から取り出すことができる。
【００１５】
この発明によるストロー袋は、容器壁側の第１フィルムと第２フィルムとをストロー用中空を形成するように重ね、各々外周縁を固着して形成される。
ストロー用中空にストローを収納することができる。第１フィルムと第２フィルムとの外周縁は、所謂、合掌合わせや封筒合わせの様式で、接着剤による接着、ヒートシールなど固着することができる。
【００１６】
この発明によるストロー袋では、ストロー袋の縦方向に沿って第２フィルムを切断する開封テープが、第２フィルムの内側にかつストローの外側に備えられる。
上記のように配置されるので、開封テープが、第２フィルムのみに作用して第２フィルムのみを袋の縦方向に沿って切断することができ、ストローを容易に取出すことができる。
【００１７】
この発明によるストロー袋では、開封テープがストロー袋の開封側の外周縁において第１フィルムと第２フィルムとの間で積層され、開封テープの一端が積層された外周縁から突出して成る開封用タブとなる。
外周縁から突出した開封用タブを把持し、引張ることによって、ストロー袋の開封側の第２フィルム外周縁から、破れ、順次、袋の縦方向に沿って容易に破断して開封することができ、ストローを簡単にストロー袋から取り出すことができる。
【００１８】
この発明による好ましい態様において、開封テープの開封用タブは着色される。
着色されるので、消費者が着色した一端部を確実に認識できて間違いなく引っ張ることができる。
【００１９】
この発明による好ましい態様において、開封テープの引っ張り強度が、第２フィルムの引っ張り強度より強く、第２フィルムの幅が狭い。
開封テープの引っ張り強度が、強いので、第２フィルムを確実に破断、切断することができ、幅が狭い第２フィルムが、切断すべき箇所をシャープにすることができる。
【００２０】
この発明による好ましい態様において、外周縁から突出した開封テープの一端に対応する第２フィルムの外周縁若しくはその近傍に、切断開始用の切断容易部が形成されている。
外周縁から突出した開封用タブを把持し、引張る際に、開封テープの一端に対応する第２フィルムの外周縁に、応力（ストレス）が集中する。その外周縁若しくはその近傍に、切断開始用の切断容易部、例えば、Vノッチ、切り目、脆化部が形成されているので、容易に切断・破断を開始させることができる。
【００２１】
この発明による好ましい態様において、開封テープが、第２フィルムの内側面に接着されて備えられている。
第２フィルムの内側面に接着された開封テープが、流通過程で第２フィルムの内側からズレること無く、切断すべき箇所を確実に切断することができる。
【００２２】
この発明による好ましい態様において、開封テープが、ストロー袋の開封側と反対側の外周縁において第１フィルムと第２フィルムとの間で積層されて備えられている。
ストロー袋の開封側と反対側との両端で、開封テープが固定されるので、流通過程で第２フィルムの内側からズレること無く、切断時に切断すべき箇所を確実に切断することができる。
【００２３】
この発明による紙容器は、１００ml〜５５０mlの液体食品を充填した主に紙包装材料からなり、容器器壁に、ストローを収納したストロー袋を備える紙容器である。
屋内外活動時等に手軽に持運んで、紙容器の液体食品をストローで吸飲することができる。
【００２４】
この発明による紙容器の好ましい態様において、第１フィルムと第２フィルムとが紙主体材料からなり、少なくとも、第１フィルムが熱融着性外層を備える紙主体材料である。
第１フィルムと第２フィルムとが、紙容器と同じ紙主体材料からなるので、使用後、リサイクルのための回収で、ストロー袋を紙容器から引く剥がすこと無く、一緒に回収ボックスに出すことができる。
【００２５】
この発明によるストロー袋の製造法は、第１フィルム用の第１帯状フィルムと、第２フィルム用の第２帯状フィルムとをストロー用中空を形成するように重ねる際に、ストロー用中空にストローを挿入すると共に、ストロー袋の縦方向に沿って第２フィルムを切断する開封テープを、第２フィルムの内側にかつストローの外側に、開封テープの一端の開封用タブが外周縁から突出するように配置し、ストローの外周縁を固着する
ストローを挿入する際に、開封テープとその開封用タブを配設するので、付加的／追加の工程をより簡素にすることができる。
上述のように、ストロー袋からストローが容易に取出せて消費者が中身の液体食品を迅速に飲用できる容器用ストロー袋、紙容器及びストロー袋の製造法を提供することができる。
【図面の簡単な説明】
【００２６】
【図１】従来例のストロー袋の外観図（Ａ）、この発明による一実施例のストロー袋の外観図（Ｂ）、一実施例のストロー袋の破断の様子を示す外観図（Ｃ）、一実施例のストロー袋の破断後にストローを取出す様子を示す外観図（Ｄ）である。
【図２】この発明による一実施例のストロー袋の開封側の外周縁の部分断面図である。
【図３】この発明で使用することができる紙容器の外観図である。
【発明を実施するための形態】
【００２７】
以下、本発明の実施の形態について、添付図面を参照しながら詳細に説明する。
図３に、この発明で使用することができる紙容器１４を示す。
ジュース、牛乳、清涼飲料水等の液体食品を充填した紙容器１４は、外観直方体に形成され、容器本体の頂面にはストローで吸飲するためのストロー孔が設けられる。
紙容器１４は、例えば、帯状包材を搬送しながら両縁を重ねて筒状に形成し、縦線シールして液を充填した後に、横線シールして、紙容器一個分に切離して枕状の容器を形成する。原型容器を最終形状に折り込んで紙容器を得る。
【００２８】
図１（Ｂ）に示す一実施例のストロー袋１は、ストロー２を収納するストロー袋である。
ストロー１で、図３に示す紙容器１４のストロー孔を開口して内溶液を吸飲する。使用時に、ストロー袋１の包装フィルム越しに外側からストロー２を押して、ストロー２の先端でスロトー袋１を破りストロー２をストロー袋１から取り出す。
【００２９】
ストロー袋１は、図２に示すように、容器壁側の第１フィルム１ｃと第２フィルム１ｄとをストロー用中空を形成するように重ね、各々外周縁１ａ、１ｂを固着して形成される。
ストロー用中空にストロー２を収納する。第１フィルム１ｃと第２フィルム１ｄとの外周縁１ａ、１ｂは、所謂、合掌合わせの様式で、ヒートシールで固着する。
【００３０】
ストロー袋１は、図２に示すように、ストロー袋１の縦方向に沿って第２フィルム１ｄを切断する開封テープ３が、第２フィルム１ｄの内側にかつストロー２の外側に備えられる。
開封テープ３が、第２フィルムのみに作用して第２フィルムのみを袋の縦方向に沿って切断し、ストロー２を容易に取出す。
【００３１】
ストロー袋１は、開封テープ３がストロー袋１の開封側の外周縁１ａにおいて第１フィルム１ｃと第２フィルム１ｄとの間で積層され、開封テープの一端が積層された外周縁から突出して成る開封用タブ３ａとなる。
図１（Ｃ）に示すように、外周縁１ａから突出した開封用タブ３ａを把持し、引張ることによって、ストロー袋１の開封側の第２フィルム外周縁から、破れ、順次、袋の縦方向に沿って容易に破断して開封する。図１（Ｄ）に示すように、ストロー２をストロー袋１から取り出す。
【００３２】
この態様において、開封テープの開封用タブ３ａは、着色される。
着色されるので、消費者が着色した一端部を認識して間違いなく引っ張る。
【００３３】
この態様において、開封テープの引っ張り強度が、第２フィルムの引っ張り強度より強く、第２フィルムの幅が狭い。
開封テープの引っ張り強度が、強いので、第２フィルムを確実に破断、切断し、幅が狭い第２フィルムが、切断すべき箇所をシャープにする。
【００３４】
別の態様において、外周縁から突出した開封テープの一端に対応する第２フィルムの外周縁若しくはその近傍に、切断開始用の切断容易部が形成されている。
外周縁から突出した開封用タブを把持し、引張る際に、開封テープの一端に対応する第２フィルムの外周縁に、応力（ストレス）が集中する。その外周縁若しくはその近傍に、切断開始用の切断容易部、例えば、Vノッチ、切り目、脆化部が形成されているので、容易に切断・破断を開始させる。
【００３５】
別の態様において、開封テープが、第２フィルムの内側面に接着されて備えられている。
第２フィルムの内側面に接着された開封テープが、流通過程で第２フィルムの内側からズレること無く、切断すべき箇所を確実に切断する。
【００３６】
この態様において、開封テープ３が、ストロー袋の開封側１ａと反対側の外周縁１ｂにおいて第１フィルム１ｃと第２フィルム１ｄとの間で積層されて備えられている。
ストロー袋の開封側と反対側との両端で、開封テープが固定されるので、流通過程で第２フィルムの内側からズレること無く、切断時に切断すべき箇所を確実に切断する。
【００３７】
実施例の紙容器は、２００mlの液体食品を充填した主に紙包装材料からなり、容器器壁に、ストローを収納したストロー袋を備える紙容器である。
屋内外活動時等に手軽に持運んで、紙容器の液体食品をストローで吸飲する。
【００３８】
別の態様において、第１フィルム１ｃと第２フィルム１ｄとが紙主体材料からなり、熱融着性外層を備える紙主体材料である。
第１フィルムと第２フィルムとが、紙容器と同じ紙主体材料からなるので、使用後、リサイクルのための回収で、ストロー袋を紙容器から引く剥がすこと無く、一緒に回収ボックスに出してもよい。
【００３９】
実施例のストロー袋の製造法は、第１フィルム用の第１帯状フィルムと、第２フィルム用の第２帯状フィルムとをストロー用中空を形成するように重ねる際に、ストロー用中空にストロー２を挿入すると共に、ストロー袋の縦方向に沿って第２フィルムを切断する開封テープ３を、第２フィルム１ｄの内側にかつストロー２の外側に、開封テープ３の一端の開封用タブ３ａが外周縁から突出するように配置し、ストロー２の外周縁を固着する
ストローを挿入する際に、開封テープとその開封用タブを配設する。
【００４０】
なお、本発明は実施の形態に限定されるものではなく、本発明の趣旨に基づいて種々変形させることが可能であり、それらを本発明の範囲から排除するものではない。
【産業上の利用可能性】
【００４１】
この発明は、液体食品の包装充填の製造に適用することができる。
【符号の説明】
【００４２】
１  ストロー袋
２  ストロー
３  開封テープ
【図１】
2015040071.tif 000003
【図２】
2015040071.tif 000004
【図３】
2015040071.tif 000005